(57)【特許請求の範囲】
【請求項１】
給湯器を覆って防寒する給湯器防寒室と、給湯器の配管部分を覆って防寒する配管防寒室とを一体に備え、上記給湯器防寒室と配管防寒室の内側に保温材を設けてユニット化された防寒ケーシングで給湯器とその配管部分を覆った防寒手段を備えたものであって、上記防寒ケーシングの給湯器防寒室と配管防寒室の前面を開口し、給湯器防寒室の開口部を給湯器のフロントカバーで密閉するとともに、配管防寒室の開口部には開閉蓋を備えたことを特徴とする給湯装置。
【請求項２】
上記給湯器に器具側凍結防止用ヒータを備え、上記配管部分には配管側凍結防止用ヒータを備えたものであって、上記各々の凍結防止用ヒータは上記給湯器の制御回路と並列に接続され、配管部分の所定位置にセットされた配管側サーモスタットおよび上記給湯器の所定位置にセットされた給湯器側サーモスタットの並列回路を通って電源に接続されてセットされている請求項１記載の給湯装置。
【請求項３】
上記給湯器の配管部分に給水側と給湯側とを同時に水抜きする一軸の水抜栓を備えた請求項１記載の給湯装置。
【請求項４】
追焚き機能を備えた給湯器にあっては追焚き部の配管部分に風呂往き側と風呂戻り側とを同時に水抜きする一軸の水抜栓を備えた請求項１及び３記載の給湯装置。
【請求項５】
上記水抜栓の排水口に可撓排水管を接続した請求項３及び４記載の給湯装置。
【請求項６】
上記防寒ケーシングの配管防寒室の背面に配管作業等に利用する窓穴を備えた請求項１記載の給湯装置。
【請求項７】
上記給湯器の配管部分に接続される壁貫通配管部が配管を筒状体に保温材を介在して挿通固定されたユニット状の構造体であって、上記壁貫通配管部の配管は水抜きに必要な傾斜を有している請求項１記載の給湯装置。
【請求項８】
上記壁貫通配管部の配管の屋内側の接続端部が給湯側は上向きに、風呂側は下向きに曲げられている請求項１及び７記載の給湯装置。
【発明の詳細な説明】
【０００１】
【発明の属する技術分野】
この発明は、比較的寒い地域においても凍結のおそれ及び凍結防止のためのランニングコストが少なく、施工性にもすぐれた屋外設置式の給湯装置に関する。
【０００２】
【従来の技術】
従来、給湯器を比較的寒い地域において屋外設置する場合、たとえば、図１８〜図２０に示されているように、給湯器Ｂ′側に凍結防止用ヒータ２２′と凍結防止用ヒータを制御するサーモスタット２６′を内蔵し、接続配管側には市販の凍結防止用ヒータ２３′を巻きつけ、これを保温材３６′で覆う防寒施工を施して凍結を防止している。そして、厳寒時や長期不在時等には水抜き作業を要するものであるが、従来の給湯器Ｂ′は水抜栓Ｖ1 ′が２個以上、特に追焚き部を備えた給湯器では４個所以上備えており、しかも、給水止水栓Ｖ3 ′が屋外の給湯器の入口側に設けられている（以上の従来の給湯器を以下単に従来例１という）。
【０００３】
また、上記従来例１の給湯器Ｂ′において、その保温状態をさらに高めるために、たとえば、図２１に示されているように、給湯器Ｂ′とその配管部分Ｃ′を特別に作られた小屋Ａ′内に設置する方策も採られている（以上の防寒手段を以下単に従来例２という）。
【０００４】
【発明が解決しようとする課題】
しかしながら、上記従来例１には次の１〜１０に記載するような多くの問題点があった。
１  給湯器の内部はバックカバーとフロントカバーからなる１枚の鉄板製ケーシングで覆われているに過ぎないから、凍結防止用ヒータの放熱が大きい。
２  凍結防止用ヒータを制御するサーモスタットを給湯器内部の雰囲気温度又は水温検知でＯＮ−ＯＦＦ制御しているが放熱ロスが大きいため、ＯＮ動作時間が長くランニングコストが高くなったり、過大なヒータ容量を要する。
３  壁掛け設置の場合、給湯器の背面と壁の間とに１０ｍｍの隙間を設けて外気による通風が可能な状態に設置する必要があるため、この隙間からの放熱ロスも著しく、また、隙間に風雪が入り込んだり、雪どけ水が凍って膨張し給湯器の固定板と建物に応力がかかる。
４  接続配管側の市販の凍結防止用ヒータは通常サーモスタット付きのものが多く出まわっているが、サーモスタットのセット位置は施工者の判断によるものであるため、そのセット位置により凍結防止が確実に行われない場合がある。また、ヒータの巻きつけが適切でない場合も同様である。
５  接続配管側の保温工事も現場の施工者の判断によるものであるため、その施工方法が適切でない場合があり、たとえば、給湯器と配管を接続する接手、フレキシブル管、エルボ、給水止水栓、巻き付けたヒータにより表面が凹凸となり保温工事での保温材との密着度の向上が難しく隙間ができる。よって、その隙間からの冷気の侵入により保温性が著しく低下する（図１８参照）。
６  給湯器側の凍結防止用ヒータと接続配管側の凍結防止用ヒータとが別々に設けられているので、接続配管側のヒータ故障、たとえば、ショートや漏電が起きた場合、故障不明のまま接続配管が凍結に至ってしまう（図１９参照）。
７  現行の追焚き部を備えた給湯器は、追焚きポンプで循環させて風呂側の通水路の凍結防止を行うのが一般的であるが、厳冬の場合はポンプ作動が多くなるため、ポンプ音がうるさく、電気代も嵩む。
８  厳寒時や長期不在、未入屋時等には水抜き作業を要するが、従来例１の給湯器では水抜栓が２個以上、特に、追焚き部を備えた給湯器の場合は機器が複雑となることから４個以上となり、そのすべての水抜栓を操作して水抜きを行う必要があるため、その作業が面倒で、ときには抜き忘れ等の間違いも生じやすい。
９  従来例１の水抜き手段では給水止水栓が屋外の給湯器の入口側に設けられているため、給水止水栓を止めて水抜き作業をしても水抜栓より下側の配管部３４′の水が抜けずそのまま残る（図２０参照）。特に、給水止水栓と水抜栓との間には水が残る。そして、壁貫通部の配管施工には水抜き用の傾斜が必要なことと相まって多大の手間と技術を要し、また、施工者の判断によるものであるから、配管及び保温の施工法が適切でないために凍結、漏水、水抜き不良等の不具合が生ずることがある。
１０  従来例１の施工には次の施工工程を要する
ａ  給湯器を設置する壁位置の決定
ｂ  接続配管を考慮した壁貫通配管用の壁穴をあける
ｃ  屋内側の配管工事を行う
ｄ  屋内から屋外までの接続配管距離を計測しその長さの配管を作り、配管工事を行う、その後、穴埋めコーキング
ｅ  屋外配管継手類（エルボ、ニップル、給水止水栓等）の接続
ｆ  給湯器を壁に掛けビス等で固定する
ｇ  給湯器の接手と配管継手の末端部をフレキシブル管で接続する
ｈ  屋外配管類に凍結防止用ヒータを巻きつける
ｉ  その上より保温材を巻きつける
ｊ  給湯器のフロントカバー（前板）を外しリモコン配線を結線する
ｋ  給湯器のフロントカバーを取りつける
等のように施工工程が非常に多い。
【０００５】
また、従来例２には次の１〜５に記載するような問題点があった。
１  給湯器とその配管部分を小屋で囲っているだけであるから、小屋により直接の風雪は防ぐものの、給湯器が燃焼するために必要な給排気孔を小屋に設ける必要があるため、この給排気孔から冷気が侵入し保温性能は全く有しない。若し、仮に保温材等で保温処理しても保温性能は余り期待できない。
２  給排気孔による保温性能の低下を防止するために給排気孔を他の部分と仕切る等の密閉構造にするには構造が極めて複雑化する。
３  小屋は給湯器とその配管部分を囲うだけのものであるため、給湯器の配管接続部のガス元栓を緊急時に速やかに止めることができない。すなわち、緊急時にはビス止めされている前板を外してガス元栓を閉めることになる。また、給湯器をメンテナンスする場合にも同様に前板を外す必要があり面倒である。
４  給湯器側の凍結防止用ヒータとサーモスタット及び配管側の凍結防止用ヒータとサーモスタットが別々に取付けられているため、配管側のヒータの熱により給湯器側のサーモスタットが誤作動するおそれがある。すなわち、給湯器側のサーモスタットは機器の寒い部分の雰囲気温度検知で通常下部が多く、その位置で配管側にヒータをつけた場合、ヒータの放熱によりサーモスタットがＯＮせず、給湯器側のヒータが通電しないこととなり、給湯器の通水部が凍結温度に達してしまう。
５  給湯器とその接続配管部が小屋内に入っており、水抜栓が最下点でないため、水抜き作業をした場合、小屋のまわりや底板、配管保温材が水びたしになる。そこで、水を受ける受皿が必要となる（以上図２１参照）。
【０００６】
この発明の給湯器は上記課題を解決し寒冷地においても凍結のおそれ及びランニングコストの少ない施工性にもすぐれた給湯器の提供を目的としている。
【０００７】
【課題を解決するための手段】
上記課題を解決するこの発明の第１の給湯装置は、
給湯器を覆って防寒する給湯器防寒室と、給湯器の配管部分を覆って防寒する配管防寒室とを一体に備え、上記給湯器防寒室と配管防寒室の内側に保温材を設けてユニット化された防寒ケーシングで給湯器とその配管部分を覆った防寒手段を備えたものであって、上記防寒ケーシングの給湯器防寒室と配管防寒室の前面を開口し、給湯器防寒室の開口部を給湯器のフロントカバーで密閉するとともに、配管防寒室の開口部には開閉蓋を備えたことを要旨とする。
上記構成を有するこの発明の第１の給湯装置は、防寒ケーシングで覆われた給湯装置において、給湯器のフロントカバーで給湯器防寒室の前面開口部を密閉し、かつ、フロントカバーが外部に露出しているので、フロントカバーに備えた給気口と排気口により給湯器の燃焼に必要な給排気を行うことと相まって防寒ケーシング内への冷気の侵入を防止するため、断熱効果が低下することはない。また、配管防寒室の前面開口部に開閉蓋を備えたので、緊急時には開閉蓋を開いてガス元栓を迅速、確実に閉じることが可能であり、配管部分の保安、点検も容易に行いうる。
【０００８】
上記課題を解決するこの発明の第２の給湯装置は、
上記第１の給湯装置における給湯器に器具側凍結防止用ヒータを備え、上記配管部分には配管側凍結防止用ヒータを備えたものであって、上記各々の凍結防止用ヒータは上記給湯器の制御回路と並列に接続され、配管部分の所定位置にセットされた配管側サーモスタットおよび上記給湯器の所定位置にセットされた給湯器側サーモスタットの並列回路を通って電源に接続されてセットされていることを要旨とする。
上記構成を有するこの発明の第２の給湯装置は、給湯器側と配管側の凍結防止用ヒータ及びサーモスタットが１つの回路構成で給湯器の制御回路と並列に接続され、それらの電源側にヒューズ、漏電ブレーカを設ければ、ショートや漏電等の故障が起きた場合、給湯器自身が作動しなくなるため、故障検知が早い。また、各々の凍結防止用ヒータは、給湯器側および配管側のサーモスタットのいずれがＯＮ動作しても電源供給されるため、例えば給湯器側のみの突発的な冷気にも対応可能である。
【０００９】
上記課題を解決するこの発明の第３の給湯装置は、
上記第１の給湯装置であって、その配管部分に給水側と給湯側とを同時に水抜きする一軸の水抜栓を備えたことを要旨とする。
上記構成を有するこの発明の第３の給湯装置は、１つの水抜栓を操作するだけで給水側と給湯側の水抜きが同時に行いうる。
【００１０】
上記課題を解決するこの発明の第４の給湯装置は、
上記第１及び第３の給湯装置であって、追焚き部を備えた給湯器にあっては、追焚き部の配管部分に風呂往き側と風呂戻り側とを同時に水抜きする一軸の水抜栓を備えことを要旨とする。
上記構成を有するこの発明の第４の給湯装置は、１つの水抜栓を操作するだけで風呂往き側と風呂戻り側の水抜きが同時に行いうる。
【００１１】
上記課題を解決するこの発明の第５の給湯装置は、
上記第３及び第４の水抜栓において、水抜栓の排水口に可撓排水管を接続したことを要旨とする。
上記構成を有するこの発明の第５の給湯装置は、可撓排水管を防寒ケーシング外に導けば水抜きによる水は防寒ケーシング外に排水される。
【００１２】
上記課題を解決するこの発明の第６の給湯装置は、
上記第１の給湯装置であって、その防寒ケーシングの配管防寒室の背面に配管作業等に利用する窓穴を備えた構成を要旨とする。
上記構成を有するこの発明の第６の給湯装置は、防寒ケーシングで覆った給湯装置において、給湯器の配管部分と壁貫通配管部との接続作業やリモコンケーブル等の電気配線作業及びコーキング等の穴埋め作業等が配管防寒室の背面の窓穴から容易に行い得て作業性がよい。
【００１３】
上記課題を解決するこの発明の第７の給湯装置は、
上記第１の給湯装置であって、給湯器の配管部分に接続される壁貫通配管部が配管を筒状体に保温材を介在して挿通固定されたユニット状の構造体であって、上記壁貫通配管部の配管は水抜きに必要な傾斜を有していることを要旨とする。上記構成を有するこの発明の第７の給湯装置は、壁貫通配管部の配管が傾斜しているから、水抜き時における屋内側及び壁貫通配管部の水が確実に抜ける。
【００１４】
上記課題を解決するこの発明の第８の給湯装置は、
上記第１の給湯装置における上記第７の壁貫通配管部の配管の屋内側の接続端部が給湯側は上向きに、風呂側は下向きに曲げられていることを要旨とする。
上記構成を有するこの発明の第８の給湯装置は、壁貫通配管部の配管の屋内側の接続端部が給湯側は上向きに、風呂側は下向きとなっているから、給湯側の天井裏への配管及び風呂側の床下への配管に便利である。
【００１５】
【発明の実施の形態】
給湯器を覆って防寒する給湯器防寒室を上部に有し、その下部には給湯器の配管部分を覆って防寒する配管防寒室を連続的に一体形成し、上記給湯器防寒室と配管防寒室の内壁に保温材を貼設して予めユニット化された構造体の箱状の防寒ケーシングで給湯器とその配管部分の外面を覆ってこれらを断熱防寒する構成となすことにより、給湯器とその配管部分を防寒ケーシングで外気と遮断するものであって、
【００１６】
上記箱状防寒ケーシングの給湯器防寒室と配管防寒室の前面は開口され、給湯器防寒室の前面開口部に給湯器のフロントカバーを臨ませ、シール材としてのパッキンを介して開口部をフロントカバーで密閉し、かつ、フロントカバーを外部に露出させてフロントカバーに備えた給気口と排気口により給湯器の燃焼に必要な給排気が行いうるようになすとともに、配管防寒室の前面開口部には開閉蓋を備えて、たとえば、緊急の場合にガス元栓が迅速、確実に閉じうるようになしている。
【００１７】
上記給湯装置において、凍結防止用ヒータ及びサーモスタットは１つの回路構成で給湯器の制御回路と並列に接続され、その電源側にヒューズ、漏電ブレーカを設けると、ショートや漏電等の故障が起きた場合、給湯器自身が作動せず、また、各々の凍結防止用ヒータはいずれかのサーモスタットのＯＮ動作で働らき、例えば給湯器側のみの突発的な冷気にも対応可能となしている。
【００１８】
上記給湯装置であって、給湯器の配管部分にその給水側と給湯側とを同時に水抜きする１つの水抜栓を備え、また、追焚き部を備えた給湯装置の場合は、追焚き部の配管部分に上記給湯器の水抜栓とは別に風呂往き側と風呂戻り側とを同時に水抜きする１つの水抜栓を備えて、１つの水抜栓を操作するだけで給水側と給湯側又は風呂往き側と風呂戻り側の水抜きが同時に行いうる。そして、上記各々の水抜栓の排水口に可撓排水管を接続して、水抜き水の防寒ケーシング外への排出を容易としている。
【００１９】
上記給湯装置において、防寒ケーシングの配管防寒室の背面に給湯器の配管部分と壁貫通配管部との接続作業等に利用する窓穴を備えて壁貫通部の施工、電気配線等の作業性をよくしている。
【００２０】
上記給湯器の配管部分に接続される壁貫通配管部が配管を筒状体に保温材を介在して挿通固定されたユニット状の構造体に形成されたものであって、上記ユニット状壁貫通配管部の配管を屋内側から屋外側へ水抜きに必要な任意の角度に傾斜して水抜き時における屋内側配管及び壁貫通配管部の水が確実に抜け去るようにしている。
【００２１】
追焚き部を備えた給湯器において、上記壁貫通配管部の配管の屋内側接続端部を給湯側は上向きに曲げて天井裏への配管に便利とし、風呂側は下向きに曲げて床下への配管に便利として施工性をよくしている。
尚、給湯単独の装置の場合は、屋内側接続端部を上向きに曲げて天井裏側への配管としている。
【００２２】
以上この発明の実施の形態の一例について説明したが、この発明はこうした実施の形態に何ら限定されるものではなく、この発明の要旨を逸脱しない範囲において様々な形態で実施しうること勿論である。
【００２３】
以上説明したこの発明の構成、作用及び実施の形態を一層明確にするために、この発明の給湯装置を具体的に示した実施例について図面を参照して説明する。
【００２４】
【実施例】
図面において、Ａは防寒ケーシングで、給湯器Ｂを覆って防寒する給湯器防寒室１を上部に有し、その下部には上記給湯器Ｂの配管部分Ｃを覆って防寒する配管防寒室２が連続的に一体形成され、この給湯器防寒室１と配管防寒室２の前面は開口され、かつ、上記給湯器防寒室１と配管防寒室２の内壁には保温材３を貼設して全体をユニット化した箱状に構成されている（図５〜図８参照）。上記保温材３は給湯器防寒室１の天板と配管防寒室２の底板及び両室１、２の両側板の内面に、たとえば、片面はがし紙付き接着剤（両面テープ貼付）を裏面に備えた各々の貼りつけ面に適合する大きさの保温板を隙間なく貼りつけて設けるとともに、後述する配管防寒室２の開閉扉８にも同様に取付けて保温性をよくするものである。また、後述するフロントカバー５の裏面にも貼設されている。
【００２５】
上記箱状防寒ケーシングＡの給湯器防寒室１の前面開口部４には給湯器Ｂのフロントカバー５を嵌めつけて、この前面開口部４はフロントカバー５で密閉するものであり、また、配管防寒室２の前面開口部７には片開き状の開閉扉８を備えて、この前面開口部７は開閉自在となすものである。また、防寒ケーシングＡの背面上端中央に防寒ケーシングＡを設置用壁Ｄに取付け設置するための取付け板９を備え、給湯器防寒室１の前面上端中央と下部両側及び下部背面中央に給湯器Ｂを取付け設置するための取付け座１０、１１、１１及び取付けボルト１２を備えている（図５、６及び図８（ハ）参照）。
【００２６】
給湯器Ｂのバックカバー１３の前面上端中央と下端両側及び下端背面中央に上記給湯器防寒室１の取付け座１０、１１、１１及び取付けボルト１２に取付ける取付け片１４、１５、１５及びブラケット１６を備えている（図６及び図８（ロ）参照）。また、給湯器Ｂのフロントカバー５の前面に給湯器Ｂの燃焼に必要な給気口１７と排気口１８を備え、かつ、周面には上辺と両側辺に給湯器防寒室１の上辺と両側辺に嵌めつけうるフランジ部１９ａを有するカバー枠１９を備えている（図５、６及び図８（イ）参照）。しかし、上記カバー枠１９はフロントカバー５のフランジ部５ａを外方へ延長して一体形成してもよい（図１１参照）。
【００２７】
上記構成において、防寒ケーシングＡと、バックカバー１３に給湯機能部を内蔵した給湯器本体Ｅ（給湯器Ｂのフロントカバー５を外したもの）と、給湯器Ｂの配管部分Ｃとは予め組み付けて一体化するものである。すなわち、給湯器本体Ｅに配管部分Ｃを備えたものを防寒ケーシングＡの給湯器防寒室１に給湯器本体Ｅを、また、配管防寒室２には配管部分Ｃをそれぞれの前面開口部４、７から収納して給湯器防寒室１の取付け座１０、１１、１１にバックカバー１３の取付け片１４、１５、１５をビス１４ａ、１５ａ、１５ａで止めるとともに、給湯器防寒室１の取付けボルト１２にバックカバー１３のブラケット１６をナット１６ａで締付けることにより、給湯器防寒室１内に給湯器本体Ｅが取付け設置されると同時に、配管防寒室２には配管部分Ｃが収納配置されて、これらは一体的に組み付けられる。
【００２８】
上記防寒ケーシングＡと給湯器本体Ｅ及び配管部分Ｃとが一体化されたものを給湯器を設置する壁Ｄの所定位置の外面に防寒ケーシングＡに備えた取付け板９により取付け設置する。その後、フロントカバー５を給湯器防寒室１の前面開口部４に臨ませてそのカバー枠１９とともに給湯器本体Ｅに取付けることにより、前面開口部４をフロントカバー５で密閉する。すなわち、カバー枠１９のフランジ部１９ａを給湯器防寒室１の上辺と両側辺にシール材６を介して嵌めつけるとともに、フロントカバー５のフランジ部５ａをバックカバー１３の前面にシール材６を介して嵌めつけ、フロントカバー５のフランジ部５ａをカバー枠１９とともにバックカバー１３にビス１３ａで止めることにより、給湯器本体Ｅに対するフロントカバー５の取付けができる。
【００２９】
その後、配管部分Ｃを後述する壁貫通配管部Ｈに接続し、配管防寒室２の前面開口部７に備えた開閉扉８を閉めれば、設置用壁Ｄに対する給湯器Ｂの防寒設置は完了する。
【００３０】
上記配管部分Ｃは、たとえば、図３、図４及び図９に示されている追焚き部付きの場合には、給湯器本体Ｅの接手３０と後述する給湯器側の水抜き本体３２とが可撓管３４で接続され、また、追焚き部Ｆの接手３１と後述する追焚き部側水抜き本体３３とが可撓管３５で接続され、それぞれの可撓管３４、３５の外面には保温材３６、３７を施した防寒構造となっている。
【００３１】
上記壁貫通配管部Ｈは、給湯器Ｂだけの場合は、たとえば、図１２及び図１３に示されているように、給水管２０ａと給湯管２０ｂが保温材５５で包むか又はパッキングを介在してフランジ５７付きの１つの筒状体５６に挿通して固定されたユニット状の構造体に形成されている。追焚き部付きの場合は、風呂往き管２０ｃと風呂戻り管２０ｄも同様の構造体とするものである。
【００３２】
上記構成とした壁貫通配管部Ｈは、ユニット化されているので、その施工が保温処理された形での位置決め、配管接続、水抜き勾配ｔ、隙間埋め等の現地作業が容易である。
【００３３】
上記給湯装置において、給湯器Ｂ側に備えた器具側凍結防止用ヒータ２２と配管部分Ｃに備えた配管側凍結防止用ヒータ２３はそれぞれ並列に接続される。また、配管部分Ｃの所定位置には配管側サーモスタット２４が固定され、また、給湯器Ｂの所定位置にも給湯器側サーモスタット２６が固定されている。この配管側サーモスタット２４と給湯器側サーモスタット２６とは並列接続され、各ヒータへの電源回路に直列接続される。追焚き部Ｆを備えた給湯装置の場合は追焚き通水路に備えた凍結防止用ヒータ２７は給湯器Ｂの器具側凍結防止用ヒータ２２と並列に接続され、給湯器Ｂ側と追焚き部Ｆ側の双方を制御する形でサーモスタットが接続固定されている。上記各々の凍結防止用ヒータの回路構成は給湯器の制御回路Ｇと並列に接続され、その電源側にヒューズ２８、漏電ブレーカ２９を設けている（図９及び図１０参照）。なお、上記各々の凍結防止用ヒータには碍子で覆われたヒータを用い、該凍結防止用ヒータを給湯器Ｂ及び配管部分Ｃの銅管等にはワンタッチの接続クリップを用いて取付け、その他の部位には取付板を用いてビス止めして取付けるものである。
【００３４】
上記構成の凍結防止手段にあっては、凍結防止用ヒータ２２、２３とサーモスタット２４、２６が１つの回路構成で給湯器の制御回路Ｇと並列に結線され、それらの電源側にヒューズ２８、漏電ブレーカ２９を設けているため、たとえば、ショートや漏電が起きた場合、給湯器自身が作動しなくなり故障検知が早い。また、凍結防止用ヒータとして単体のヒータを用いているので、その取り替え、交換が迅速、容易に行え、サーモスタットも予め決められた所定位置に取付け固定されているため、誤作動はない。また、各々の凍結防止用ヒータ２２、２３、２７は、給湯器側サーモスタット２６および配管側サーモスタット２４のいずれがＯＮ動作しても電源供給されるため、例えば、給湯器側のみの突発的な冷気にも対応可能である。
【００３５】
給湯器Ｂの配管部分Ｃと壁貫通配管部Ｈを接続する部位の最下点には水抜き本体が設けられ、給湯器Ｂだけの給湯装置の場合は、給水側３８と給湯側３９の２つの経路を１つの水抜栓Ｖ1 に接続した給湯器側の水抜き本体３２を備え（図１４及び図１５参照）、追焚き部Ｆを備えた給湯装置の場合は、上記給湯器側の水抜き本体３２とは別に風呂往き側４０と風呂戻り側４１の２つの経路を１つの水抜栓Ｖ2 に接続した追焚き部側の水抜き本体３３を備えている（図１６及び図１７参照）。なお、給湯装置において、ポンプ、電磁弁、逆止弁等を有するものには水だまり部分の水抜きをするための水抜栓があるが、この部分も上記水抜本体に接続すればその水抜きが可能である。
【００３６】
上記構成の水抜き手段にあっては、給湯器Ｂ側の水抜きをする場合は１つの水抜栓Ｖ1 を開操作すれば給水側３８と給湯側３９の水が同時に排出され、追焚き部Ｆを備えている場合は追焚き部側の１つの水抜栓Ｖ2 を開操作すれば風呂往き側４０と風呂戻り側４１の水が同時に排出される。したがって、屋内にある給水止水栓Ｖ3 を閉じて給湯器側の水抜栓Ｖ1 と追焚き部側の水抜栓Ｖ2 を開操作するだけで給湯器Ｂ側と追焚き部下側の接続配管、壁貫通配管等のすべての水抜きが可能である。
【００３７】
上記水抜き本体３２、３３の排水口４２、４３に可撓排水管４４、４５を接続して防寒ケーシングＡ外に導けば、上記水抜き水のすべてを防寒ケーシングＡ外に排出できる。したがって、水抜き水で防寒ケーシングＡ内を濡らすことはない。
【００３８】
上記防寒ケーシングＡの配管防寒室２の背面に給湯器Ｂの配管部分Ｃと壁貫通配管部Ｈとの接続作業等に利用する作業用の窓孔４９を備えて壁貫通部の施工コーキング等の穴埋め作業等が容易に行いうるようにしている。
【００３９】
上記壁貫通配管部Ｈは、その給水配管２０ａと給湯管２０ｂを屋内側から屋外側へ水抜きに必要な任意の角度ｔ（たとえば、５度程度）に傾斜して挿通設置し、水抜き時における屋内側配管５５及び壁貫通配管部Ｈの水が確実に抜けるようにしている。なお、実施例のように壁貫通配管部Ｈ自体を傾斜させて設置してもよい（図３及び図５参照）。また、追焚き部付きの場合は風呂往き管２０ｃと風呂戻り管２０ｄも同様の構造体とするものである。
【００４０】
追焚き部を備えた給湯装置において、壁貫通配管部Ｈの配管における給湯器側の給水管２０ａと給湯管２０ｂの屋内側接続端部２０１ａ、２０１ｂを上向きに曲げて天井裏への配管に便利とし、追焚き部側の風呂往き管２０ｃと風呂戻り管２０ｄの屋内側接続端部２０１ｃ、２０１ｄは下向きに曲げて床下への配管に便利として施工性をよくしている（図２、図３及び図５、図６参照）。したがって、上記構成の接続端部にあっては、寒冷地における配管基準である給湯側は天井裏へ、風呂側は床下への配管作業が容易に行いうるものである。なお、上記各々の接続端部２０１ａ、２０１ｂ及び２０１ｃ、２０１ｄの先端にはネジ切り部２１ａ、２１ｂ、２１ｃ、２１ｄを設けて配管接続に便利としている。
【００４１】
以上説明したこの発明の給湯装置は、次の手順で施工する。
ａ  給湯器を設置する壁位置の決定
ｂ  接続配管を考慮した壁貫通配管用の壁穴をあける
ｃ  屋内側の配管工事を行う
ｄ  屋内側よりユニット化された壁貫通配管部を壁穴に挿通し、位置決め固定して隙間をコーキングで埋める
ｅ  予め一体化された防寒ケーシングと給湯器本体及び配管部分を所定の壁に取付け設置し、配管部分と壁貫通配管部を接続する
ｆ  リモコン結線コネクターを接続する
で完了する。
したがって、施工手順が極めて少なく施工性にすぐれている。
【００４２】
図中、Ｖ4 はガス元栓、４６はリモコンケーブル、４７は開閉扉８の蝶番、４８は鍵、Ｖ5 は吸気弁、５０は追焚き部Ｆの熱交換器、５１は給湯器Ｂの熱交換器、５２は浴槽、Ｖ6 は給湯蛇口、Ｖ7 は元水抜栓、５３は給水元管、５４は点検ハッチである。
【００４３】
【発明の効果】
以上説明したこの発明の第１の給湯装置は、給湯器とその配管部分が保温性にすぐれた防寒ケーシングで覆われたものにおいて、給湯器のフロントカバーで給湯器防寒室の前面開口部を密閉し、かつ、フロントカバーを外部に露出させてフロントカバーに備えた給気口と排気口とで給湯器の燃焼に必要な給排気を行うので、防寒ケーシング内への冷気の侵入による断熱効果の低下はない。また、配管防寒室の前面開口部には開閉蓋を備えたので、緊急時のガス元栓の迅速、確実な閉止を可能として安全性を高めるとともに、配管部分の保守、点検等にも便利である。
【００４４】
この発明の第２の給湯装置は、凍結防止用ヒータ及びサーモスタットが１つの回路構成で給湯器の制御回路と並列に接続されているから、その電源側にヒューズ、漏電ブレーカを設ければ、ショートや漏電が起きた場合の故障検知が早く、また、各々の凍結防止用ヒータは給湯器側および配管側のサーモスタットのいずれがＯＮ動作しても電源供給されるため、例えば給湯器側のみの突発的な冷気にも対処でき安全である。
【００４５】
この発明の第３及び第４の給湯装置は、１つの水抜栓を操作するだけで２つの経路の水抜きが同時に行えるようにしたので、給湯器側と追焚き部側及びこれらの接続配管等のすべての水抜きがすみやかに行える利点があるとともに、給湯器側と追焚き部側を各別としたので、追焚き部側の汚水が給湯器側の上水に回り込む不具合が解消できる。
【００４６】
この発明の第５の給湯装置は、水抜き水を可撓排水管で防寒ケーシング外へ導くようにしたから、水抜き水で防寒ケーシングを濡らす不具合が解消できる。
【００４７】
この発明の第６の給湯装置は、給湯器とその配管部分が保温性にすぐれた防寒ケーシングで覆われたものにおいて、防寒ケーシングの配管防寒室の背面に配管作業等に利用する窓穴を設けたので、リモコンケーブル等の電気配線作業、壁貫通配管部の施工、コーキング等の穴埋め作業等が窓穴から容易に行えて作業性が向上する。
【００４８】
この発明の第７の給湯装置は、ユニット化された壁貫通配管部の配管が水抜きに必要な角度に傾斜されているので、屋内側配管及び壁貫通配管部等の水抜きが確実に行えて配管内に水が残ることがない。
【００４９】
この発明の第８の給湯装置は、寒冷地の配管基準である給湯側は天井裏へ、風呂側は床下への配管接続が容易に行い得て作業性は向上する。
【図面の簡単な説明】
【図１】この発明の給湯装置の設置状態の一例を示したシステム図である。
【図２】この発明の給湯装置の一実施例を示した全体背面図である。
【図３】設置状態の一部切断全体側面図である。
【図４】開閉蓋を開いた一部切欠全体正面図である。
【図５】要部だけの一部切欠正面図である。
【図６】要部だけの一部切断側面図である。
【図７】要部だけの横断平面図である。
【図８】要部だけの分解斜視図である。
【図９】凍結防止用ヒータとサーモスタットを配設した開閉蓋とフロントカバーを取外した全体正面図である。
【図１０】凍結防止用ヒータとサーモスタットの結線図である。
【図１１】防寒ケーシングと給湯器の取付け関係の異なる実施例を示した要部だけの横断平面図である。
【図１２】壁貫通配管部の一部切断側面図である。
【図１３】壁貫通配管部の一部切断仰視図である。
【図１４】給湯器側水抜き部の通常時の断面図である。
【図１５】給湯器側水抜き部の水抜き時の断面図である。
【図１６】追焚き部側水抜き部の通常時の断面図である。
【図１７】追焚き部側水抜き部の水抜き時の断面図である。
【図１８】従来例１の一部切断全体側面図である。
【図１９】従来例１の凍結防止用ヒータの取付け状態を示した概略正面図である。
【図２０】従来例１の水抜き状態を示した概略正面図である。
【図２１】従来例２の一部切断全体側面図である。
【符号の説明】
Ａ…防寒ケーシング、Ｂ…給湯器、Ｃ…配管部分、１…給湯器防寒室、２…配管防寒室、３…保温材、  ４…給湯器防寒室の開口部、５…フロントカバー、７…配管防寒室の開口部、８…開閉扉、２２…給湯器側の凍結防止用ヒータ、２３…配管側の凍結防止用ヒータ、２４…配管側サーモスタット、２６…給湯器側サーモスタット、Ｈ…壁貫通配管部、Ｖ1 …給湯器側の水抜栓、Ｖ2 …追焚き部側の水抜栓、４４…給湯器側の可撓排水管、４５…追焚き部側の可撓排水管
【図１】
0003653350.tif 000002
【図２】
0003653350.tif 000003
【図３】
0003653350.tif 000004
【図４】
0003653350.tif 000005
【図５】
0003653350.tif 000006
【図６】
0003653350.tif 000007
【図７】
0003653350.tif 000008
【図８】
0003653350.tif 000009
【図９】
0003653350.tif 000010
【図１０】
0003653350.tif 000011
【図１１】
0003653350.tif 000012
【図１２】
0003653350.tif 000013
【図１３】
0003653350.tif 000014
【図１４】
0003653350.tif 000015
【図１５】
0003653350.tif 000016
【図１６】
0003653350.tif 000017
【図１７】
0003653350.tif 000018
【図１８】
0003653350.tif 000019
【図１９】
0003653350.tif 000020
【図２０】
0003653350.tif 000021
【図２１】
0003653350.tif 000022